(57)【特許請求の範囲】
【請求項１】
複数の中空金属体が互いに接着又は接合された柱状の第１の衝撃エネルギー吸収体と、
複数の空隙が内在する柱状の金属バルク体の外周面を金属筒状体で覆った第２の衝撃エネルギー吸収体と、を備え、
前記２つの衝撃エネルギー吸収体は、これら２つの衝撃エネルギー吸収体の軸方向がともに衝撃荷重の入力方向と略平行となるように並設されている
ことを特徴とする衝撃エネルギー吸収体の複合構造。
【請求項２】
請求項１に記載の衝撃エネルギー吸収体の複合構造であって、
前記第１の衝撃エネルギー吸収体と前記第２の衝撃エネルギー吸収体とは、双方の外周面同士が部分的に接合され、全体として一体的な柱状体に形成される
ことを特徴とする衝撃エネルギー吸収体の複合構造。
【請求項３】
複数の中空金属体が互いに接着又は接合されることによって全体として中空の筒状に形成された中空金属集合体と、
前記中空金属集合体の外周面を覆う金属筒状体と、を備えた
ことを特徴とする衝撃エネルギー吸収体。
【発明の詳細な説明】
【技術分野】
【０００１】
本発明は、例えば車両の衝突の際に、衝撃荷重を変形によって吸収する衝撃エネルギー吸収体の複合構造及び衝撃エネルギー吸収体に関する。
【背景技術】
【０００２】
特許文献１には、隣接する中空金属球を接着または接合することによって形成される中空金属球の集合体の側面を、複数のスリット部を有する金属薄板によって覆った衝撃エネルギー吸収体が記載されている。
【先行技術文献】
【特許文献】
【０００３】
【特許文献１】特開２００９−１２１５９９号公報
【発明の概要】
【発明が解決しようとする課題】
【０００４】
上記従来の衝撃エネルギー吸収体では、複数のスリット部を有する金属薄板は、衝撃荷重が作用して圧潰する際の中空金属球の径方向への拡がり挙動を許容する。このため、ストロークに対して比較的プラトーな荷重が発生するプラトー領域のストロークを増大させることができ、衝撃エネルギーを、車体に損傷を与えない荷重以下のプラトー領域で吸収することができる。
【０００５】
しかし、上記従来の衝撃エネルギー吸収体は、中空金属球の集合体の側面を複数のスリット部を有する金属薄板によって覆ったものであるため、所望の支持剛性を得ることができず、例えばバンパなどを衝撃エネルギー吸収体によって車体側に支持することが難しい。
【０００６】
そこで、本発明は、支持剛性を確保しつつ、衝撃荷重が加わった際のプラトー領域のストロークを増大させることが可能な衝撃エネルギー吸収体の複合構造及び衝撃エネルギー吸収体の提供を目的とする。
【課題を解決するための手段】
【０００７】
上記目的を達成すべく、本発明の衝撃エネルギー吸収体の複合構造は、第１の衝撃エネルギー吸収体と第２の衝撃エネルギー吸収体とを備える。第１の衝撃エネルギー吸収体は、複数の中空金属体が互いに接着又は接合された柱状のものである。第２の衝撃エネルギー吸収体は、複数の空隙が内在する柱状の金属バルク体の外周面を金属筒状体で覆ったものである。第１の衝撃エネルギー吸収体と第２の衝撃エネルギー吸収体とは、これら２つの衝撃エネルギー吸収体の軸方向がともに衝撃荷重の入力方向と略平行となるように並設されている。
【０００８】
上記構成では、第１の衝撃エネルギー吸収体の軸方向と第２の衝撃エネルギー吸収体の軸方向とがともに衝撃荷重の入力方向と略平行に配置されているので、衝撃荷重は、これら２つの衝撃エネルギー吸収体に分散して各軸方向に沿って作用する。第２の衝撃エネルギー吸収体に衝撃荷重が作用すると、金属バルク体の空隙が荷重の作用方向（軸方向）に押し潰され、金属バルク体は、軸方向と交叉する外側（径方向）へ拡がろうとする。しかし、金属バルク体の外周面は金属筒状体によって覆われているため、金属バルク体の外側への拡がりは金属筒状体によって拘束される。この結果、第２の衝撃エネルギー吸収体においては、ストロークの増大に従って荷重が増加する傾向を示す。一方、第１の衝撃エネルギー吸収体に衝撃荷重が作用すると、中空金属体は、荷重の作用方向（軸方向）に押圧されて変形し、軸方向と交叉する外側（径方向）へ拡がろうとする。第１の衝撃エネルギー吸収体の外周面は金属筒状体等で覆われていないので、中空金属体の外側への拡がりは許容され、第１の衝撃エネルギー吸収体の最外周部分では、中空金属体が十分に潰れる前に中空金属体間の接着又は接合が剥がれて、中空金属体が第１の衝撃エネルギー吸収体から離脱する。この結果、第１の衝撃エネルギー吸収体においては、ストロークの増大に従って荷重が減少する傾向を示す。分散した衝撃荷重が、第２の衝撃エネルギー吸収体と第１の衝撃エネルギー吸収体とに同時に作用すると、第２の衝撃エネルギー吸収体においては、ストロークの増大に従って荷重が増加し、第１の衝撃エネルギー吸収体においては、ストロークの増大に従って荷重が減少する。従って、衝撃エネルギー吸収体の複合構造全体として、ストロークに対して比較的プラトーな荷重が発生するプラトー領域のストロークを増大させることができ、衝撃エネルギーを、車体に損傷を与えない荷重以下のプラトー領域で吸収することができる。
【０００９】
また、第２の衝撃エネルギー吸収体の金属筒状体の強度は、第２の衝撃エネルギー吸収体への衝撃荷重の負荷による金属バルク体の圧潰を阻止しない範囲内で任意に設定可能であるので、金属筒状体を所望の強度に設定することによって、衝撃エネルギー吸収体の複合構造の支持剛性を確保することができる。
【００１０】
また、上記衝撃エネルギー吸収体の複合構造は、第１の衝撃エネルギー吸収体と第２の衝撃エネルギー吸収体との双方の外周面同士が部分的に接合され、全体として一体的な柱状体に形成されてもよい。
【００１１】
上記構成では、衝撃エネルギー吸収体の複合構造は、第１の衝撃エネルギー吸収体と第２の衝撃エネルギー吸収体とによって一体的な柱状体に形成されるので、衝撃エネルギー吸収体の複合構造を小型化することが可能であり、車体等への組付けスペースが削減される。また、衝撃エネルギー吸収体の複合構造の取り扱いが容易となるため、車体等への組付け作業性が改善される。
【００１２】
また、本発明の他の態様の衝撃エネルギー吸収体は、中空金属集合体と金属筒状体とを備える。中空金属集合体は、複数の中空金属体が互いに接着又は接合されることによって全体として中空の筒状に形成される。金属筒状体は、中空金属集合体の外周面を覆う。
【００１３】
上記構成の衝撃エネルギー吸収体は、中空金属集合体の軸方向に沿って衝撃荷重が作用するように配置される。衝撃エネルギー吸収体に衝撃荷重が作用すると、中空金属体は、荷重の作用方向（軸方向）に押し潰されて、筒状に形成された中空金属体の軸方向と交叉する外側及び内側へ拡がろうとする。中空金属集合体の外周面は金属筒状体によって覆われているため、中空金属体の外側への拡がりは金属筒状体によって拘束される。この結果、中空金属集合体の特に外周部分においては、ストロークの増大に従って荷重が増加する。一方、衝撃エネルギー吸収体の内周面は金属筒状体等で覆われていないので、中空金属体の内側への拡がりは許容され、中空金属集合体の最内周部分では、中空金属体が十分に潰れる前に中空金属体間の接着又は接合が剥がれて、中空金属体が中空金属集合体から離脱する。この結果、中空金属集合体の特に内周部分においては、ストロークの増大に従って荷重が減少する。従って、衝撃エネルギー吸収体全体として、ストロークに対して比較的プラトーな荷重が発生するプラトー領域のストロークを増大させることができ、衝撃エネルギーを、車体に損傷を与えない荷重以下のプラトー領域で吸収することができる。
【００１４】
また、衝撃エネルギー吸収体の金属筒状体の強度は、衝撃エネルギー吸収体への衝撃荷重の負荷による中空金属集合体の圧潰を阻止しない範囲内で任意に設定可能であるので、金属筒状体を所望の強度に設定することによって、衝撃エネルギー吸収体の支持剛性を確保することができる。
【００１５】
また、衝撃エネルギー吸収体は、中空金属集合体及び金属筒状体のみから形成されているので、部品点数が削減されて製造が容易となり、コストの上昇を招くことがない。
【発明の効果】
【００１６】
本発明によれば、衝撃エネルギー吸収体の複合構造及び衝撃エネルギー吸収体の支持剛性を確保しつつ、衝撃荷重が加わった際のプラトー領域のストロークを増大させることができる。
【図面の簡単な説明】
【００１７】
【図１】本発明の第１の実施形態に係わる衝撃エネルギー吸収体の複合構造を示す斜視図である。
【図２】本発明の第２の実施形態に係わる衝撃エネルギー吸収体の複合構造を示す斜視図である。
【図３】本発明の第３の実施形態に係わる衝撃エネルギー吸収体を示す斜視図である。
【図４】フロントバンパを図１の衝撃エネルギー吸収体の複合構造によって車体側に支持した状態を模式的に示す側面図である。
【発明を実施するための形態】
【００１８】
以下、本発明の第１の実施形態を、図面に基づいて説明する。図１に示すように、本実施形態の衝撃エネルギー吸収体の複合構造１は、２個の第１衝撃エネルギー吸収体（第１の衝撃エネルギー吸収体）２と２個の第２衝撃エネルギー吸収体（第２の衝撃エネルギー吸収体）４とを備える。
【００１９】
第１衝撃エネルギー吸収体２は、隣接する中空金属球（中空金属体）３を互いに接着又は接合することによって略円柱状に形成された複数の中空金属球３の集合体である。中空金属球３は、例えば、鉄製又は鉄をベースとした合金製であり、その直径は１〜１０ｍｍ程度、肉厚は０．０５〜０．２ｍｍ程度であり、隣接する中空金属球３同士は、樹脂接着剤や低融点接着剤や固相拡散接合等によって接着又は接合されている。なお、中空金属球３の材質や寸法は、第１衝撃エネルギー吸収体２に要求されるエネルギー吸収性能に応じて決定され、特に上記に限定されるものではない。
【００２０】
第２衝撃エネルギー吸収体４は、金属バルク体５によって略円柱状に形成され、外周面を金属筒状体６で覆われる。本実施形態では、金属バルク体５は、上記中空金属球３の集合体によって形成されており、複数の空隙が内在している。金属筒状体６は、金属バルク体５に沿った薄肉の円筒形状であり、例えばステンレスなどの金属によって形成される。なお、金属筒状体６の材質や寸法は、第２衝撃エネルギー吸収体４への衝撃荷重の負荷による金属バルク体５の圧潰を阻止しない範囲において、所望の支持剛性が確保されるように設定される。
【００２１】
これら４個の第１及び第２衝撃エネルギー吸収体２，４は、それぞれの軸方向の長さが略同一であり、軸方向と直交する平面上の略十字形の４つの端点に、それぞれの軸方向がともに衝撃荷重の入力方向７と略平行となるように交互に並設されている。従って、衝撃エネルギー吸収体の複合構造１に衝撃荷重が入力すると、衝撃荷重は、４個の第１及び第２衝撃エネルギー吸収体２，４に分散して、それぞれの軸方向に沿って作用する。
【００２２】
図４は、衝撃エネルギー吸収体の複合構造１によってフロントバンパ３１を車体側に支持する例である。２個の第１衝撃エネルギー吸収体２及び２個の第２衝撃エネルギー吸収体４の前端と後端とは、フロントバンパ３１の後面と車体側のフロントサイドメンバ３２の前面とにそれぞれ接合され、衝撃エネルギー吸収体の複合構造１は、車両の前後方向に延びている。本例では、２個の第１衝撃エネルギー吸収体２が車幅方向（左右方向）に、２個の第２衝撃エネルギー吸収体４が上下方向にそれぞれ配置されて、フロントバンパ３１を支持している。
【００２３】
車両の衝突などにより、衝撃エネルギー吸収体の複合構造１に衝撃荷重が負荷され、衝撃荷重が第１衝撃エネルギー吸収体２と第２衝撃エネルギー吸収体４とに分散して作用すると、第２衝撃エネルギー吸収体４においては、金属バルク体５の空隙が荷重の作用方向（軸方向）に押し潰され、金属バルク体５は、軸方向と交叉する外側（径方向）へ拡がろうとする。しかし、金属バルク体５の外周面は金属筒状体６によって覆われているため、金属バルク体の外側への拡大は金属筒状体６によって拘束される。この結果、右肩上がりに荷重が増加するスタックアップが早期に発生し、第２衝撃エネルギー吸収体４においては、ストロークに対して荷重が増加する傾向を示す。
【００２４】
一方、第１衝撃エネルギー吸収体２においては、中空金属集合体を構成する中空金属球３が荷重の作用方向（軸方向）に押圧されて変形し、軸方向と交叉する外側（径方向）へ拡がろうとする。第１衝撃エネルギー吸収体２の外周面は金属筒状体等で覆われていないので、中空金属球３の外側への拡がりは許容され、第１衝撃エネルギー吸収体２の最外周部分では、中空金属球３が十分に潰れる前に中空金属球３の間の接着又は接合が剥がれて、第１衝撃エネルギー吸収体２から中空金属球３が離脱する。この結果、第１衝撃エネルギー吸収体２の中空金属体３の保有量が減少し、第１衝撃エネルギー吸収体２においては、ストロークに対して荷重が減少する傾向を示す。
【００２５】
分散した衝撃荷重が、第２衝撃エネルギー吸収体４と第１衝撃エネルギー吸収体２との軸方向に沿って同時に作用すると、第２衝撃エネルギー吸収体４においては、ストロークの増大に従って荷重が増加し、第１衝撃エネルギー吸収体２においては、ストロークの増大に従って荷重が減少する。従って、衝撃エネルギー吸収体の複合構造１全体として、ストロークに対して比較的プラトーな荷重が発生するプラトー領域のストロークを増大させることができ、衝撃エネルギーを、車体に損傷を与えない荷重以下のプラトー領域で吸収することができる。
【００２６】
また、金属筒状体６の強度は、衝撃エネルギー吸収体の複合構造１への衝撃荷重の負荷による金属バルク体５の圧潰を阻止しない範囲内で任意に設定可能である。従って、金属筒状体６を所望の強度に設定することによって、衝撃エネルギー吸収体１の支持剛性を確保することができ、フロントバンパ３１を衝撃エネルギー吸収体の複合構造１によって車体側に支持することができる。
【００２７】
次に、本発明の第２の実施形態を、図面に基づいて説明する。図２に示すように、本実施形態の衝撃エネルギー吸収体の複合構造１１は、軸方向の長さが略同一の２個の第１衝撃エネルギー吸収体（第１の衝撃エネルギー吸収体）１３と２個の第２衝撃エネルギー吸収体（第２の衝撃エネルギー吸収体）１４とを備えている。第１衝撃エネルギー吸収体１３は、隣接する中空金属球３を互いに接着又は接合した複数の中空金属球３の集合体によって柱状に形成され、軸方向と直交する断面形状は略四分円形状である。なお、中空金属球３及び中空金属球３の接着又は接合方法は、第１の実施形態と同様であるので、説明を省略する。
【００２８】
第２衝撃エネルギー吸収体１４は、金属バルク体１５によって柱状に形成され、軸方向と直交する断面形状は略四分円形状であり、外周面を金属筒状体１６で覆われている。本実施形態では、金属バルク体１５は、上記中空金属体３の集合体によって形成されており、複数の空隙が内在する。金属筒状体１６は、金属バルク体１５に沿った薄肉の筒形状であり、例えばステンレスなどの金属によって形成される。なお、金属筒状体１６の材質や寸法は、第２衝撃エネルギー吸収体１４の複合構造１１への衝撃荷重の負荷による金属バルク体１５の圧潰を阻止しない範囲において、所望の支持剛性が確保されるように設定される。
【００２９】
第１衝撃エネルギー吸収体１３及び第２衝撃エネルギー吸収体１４の外周面は、それぞれ１つの円弧面と、円弧面を結び略直角に屈曲する２つの平面とを有している（図２参照）。衝撃エネルギー吸収体の複合構造１１は、２個の第１衝撃ネルギー吸収体１３と２個の第２衝撃エネルギー吸収体１４とを軸方向に平行に交互に組み合わせることによって、軸方向に直交する断面形状が略円形状の一体的な柱状体１２に形成される。４個の第１及び第２衝撃ネルギー吸収体１３，１４の外周面のうち、隣接する平面は、互いに接合されており、４つの円弧面は、柱状体１２の略円形の外周面を形成している。
【００３０】
衝撃エネルギー吸収体の複合構造１１は、柱状体１２の軸方向に沿って衝撃荷重が作用するように配置される。車両の衝突などにより、衝撃エネルギー吸収体の複合構造１１に衝撃荷重が負荷され、衝撃荷重が第１衝撃エネルギー吸収体１３と第２衝撃エネルギー吸収体１４とに分散して作用すると、第２衝撃エネルギー吸収体１４においては、金属バルク体１５の空隙が荷重の作用方向（軸方向）に押し潰され、金属バルク体１５は、軸方向と交叉する外側（径方向）へ拡がろうとする。しかし、金属バルク体１５の外周面は金属筒状体１６によって覆われているため、金属バルク体１５の外側への拡大は金属筒状体１６によって拘束される。この結果、右肩上がりに荷重が増加するスタックアップが早期に発生し、第２衝撃エネルギー吸収体１４においては、ストロークに対して荷重が増加する傾向を示す。
【００３１】
一方、第１衝撃エネルギー吸収体２においては、中空金属集合体を構成する中空金属球３が荷重の作用方向（軸方向）に押圧されて変形し、軸方向と交叉する外側（径方向）へ拡がろうとする。第１衝撃エネルギー吸収体１３は金属筒状体等で覆われていないので、第１衝撃エネルギー吸収体１３の外周面のうち、第２衝撃エネルギー吸収体１４の外周面と接合されていない円弧面においては、中空金属体３の外側への拡がりは許容される。従って、第１衝撃エネルギー吸収体１３の円弧面の最外周部分では、中空金属体３が十分に潰れる前に中空金属体３の間の接着又は接合が剥がれて、中空金属体３が第１衝撃エネルギー吸収体１２から離脱する。この結果、第１衝撃エネルギー吸収体１３の中空金属体３の保有量が減少し、第１衝撃エネルギー吸収体１３においては、ストロークの増大に従って荷重が減少する傾向を示す。
【００３２】
分散した衝撃荷重が、第２衝撃エネルギー吸収体１４と第１衝撃エネルギー吸収１３とに同時に作用すると、第２衝撃エネルギー吸収体１４においては、ストロークの増大に従って荷重が増加し、第１衝撃エネルギー吸収体１３においては、ストロークの増大に従って荷重が減少する。従って、衝撃エネルギー吸収体の複合構造全体１１として、ストロークに対して比較的プラトーな荷重が発生するプラトー領域のストロークを増大させることができ、衝撃エネルギーを、車体に損傷を与えない荷重以下のプラトー領域で吸収することができる。
【００３３】
また、第２衝撃エネルギー吸収体１４の金属筒状体１６の強度は、第２衝撃エネルギー吸収体１４への衝撃荷重の負荷による金属バルク体１５の圧潰を阻止しない範囲内で任意に設定可能である。従って、金属筒状体１６を所望の強度に設定することによって、衝撃エネルギー吸収体の複合構造１１の支持剛性を確保することができる。
【００３４】
また、衝撃エネルギー吸収体の複合構造１１は、第１衝撃エネルギー吸収体１３と第２衝撃エネルギー吸収体１４とによって一体的な柱状体１２に形成されるので、衝撃エネルギー吸収体の複合構造１１の小型化が可能となり、車体等への組付けスペースが削減される。また、衝撃エネルギー吸収体の複合構造１１の取り扱いが容易となるため、車体等への組付け作業性が改善される。
【００３５】
次に、本発明の第３の実施形態を、図面に基づいて説明する。図３に示すように、本実施形態の衝撃エネルギー吸収体２１は、中空金属集合体２２と、金属筒状体２３とを備える。中空金属集合体２２は、隣接する中空金属球３を互いに接着又は接合することによって、略円筒状に形成された複数の中空金属球３の集合体であり、外周面を金属筒状体２３で覆われる。なお、中空金属球３及び中空金属球３の接着又は接合方法は、第１の実施形態及び第２の実施形態と同様であるので、説明を省略する。金属筒状体２３は、中空金属集合体２２に沿った薄肉の円筒形状であり、例えばステンレスなどの金属で形成される。なお、金属筒状体２３の材質や寸法は、衝撃エネルギー吸収体２１への衝撃荷重の負荷による中空金属集合体２２の圧潰を阻止しない範囲において、所望の支持剛性が確保されるように設定される。
【００３６】
衝撃エネルギー吸収体２１は、中空金属集合体２２の軸方向に沿って衝撃荷重が作用するように配置される。車両の衝突などにより、衝撃エネルギー吸収体２１に衝撃荷重が作用すると、中空金属集合体２２は、中空金属球３が荷重の作用方向（軸方向）に押し潰されて、筒状に形成された中空金属集合体２２の軸方向と交叉する外側及び内側へ拡がろうとする。中空金属集合体２２の外周面は金属筒状体２３によって覆われているため、中空金属体の外側への拡がりは金属筒状体２３によって拘束される。その結果、中空金属集合体２２の特に外周部分においては、ストロークに対して荷重が増加する。
【００３７】
一方、中空金属集合体２２の内周面は金属筒状体等で覆われていないので、中空金属集合体の内側への拡がりは許容され、中空金属体２２の最内周部分では、中空金属球３が十分に潰れる前に中空金属球３の間の接着又は接合が離れ、中空金属集合体２２から離脱する。この結果、中空金属集合体２２の特に内周部分においては、ストロークの増大に従って荷重が減少する。従って、衝撃エネルギー吸収体２１全体として、ストロークに対して比較的プラトーな荷重が発生するプラトー領域のストロークを増大させることができ、衝撃エネルギーを、車体に損傷を与えない荷重以下のプラトー領域で吸収することができる。
【００３８】
また、金属筒状体２３の強度は、衝撃エネルギー吸収体２１への衝撃荷重の負荷による中空金属集合体２２の圧潰を阻止しない範囲内で任意に設定可能である。従って、金属筒状体２３を所望の強度に設定することによって、衝撃エネルギー吸収体２１の支持剛性を確保することができる。
【００３９】
また、衝撃エネルギー吸収体２１は、中空金属集合体２２及び金属筒状体２３のみから形成されているので、部品点数が削減されて製造が容易となり、コストの上昇を招くことがない。
【００４０】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論である。
【００４１】
例えば、衝撃エネルギー吸収体の複合構造１において、第１衝撃エネルギー吸収体２及び第２衝撃エネルギー吸収体４を円柱形状としたが、例えば角柱形状など他の形状であってもよく、またそれら異なる形状の組み合わせであってもよい。また、金属筒状体６は、金属バルク体５の形状に沿って金属バルク体５を覆う形状であればよい。また、第１衝撃エネルギー吸収体２及び第２衝撃エネルギー吸収体４の数をそれぞれ２個としたが、それぞれ１個以上であればよい。
【００４２】
また、衝撃エネルギー吸収体の複合構造１１を円柱形状としたが、例えば角柱形状など他の形状であってもよい。また、第１衝撃エネルギー吸収体１３及び第２衝撃エネルギー吸収体１４の断面形状を四分円形状としたが、例えば三角形状など他の形状であってもよい。また、第１衝撃エネルギー吸収体１３及び第２衝撃エネルギー吸収体１４の数をそれぞれ２個としたが、それぞれ１個以上であればよい。
【００４３】
また、衝撃エネルギー吸収体２１の中空金属集合体２２を円柱形状としたが、例えば角柱形状など他の形状であってもよく、金属筒状体２３も中空金属集合体２２の形状に沿って中空金属集合体２２を覆う形状であればよい。
【００４４】
また、金属バルク体５，１５は、中空金属球３の集合体に限定されるものではなく、例えば発泡アルミなどであってもよい。また、金属バルク体５，１５に代えて、接着又は接合されない独立の複数の中空金属球等を金属筒状体６，１６の筒内に充填してもよい。
【符号の説明】
【００４５】
１  衝撃エネルギー吸収体の複合構造
２  第１衝撃エネルギー吸収体（第１の衝撃エネルギー吸収体）
３  中空金属球
４  第２衝撃エネルギー吸収体（第２の衝撃エネルギー吸収体）
５  金属バルク体
６  金属筒状体
７  衝撃荷重の入力方向
１１  衝撃エネルギー吸収体の複合構造
１２  柱状体
１３  第１衝撃エネルギー吸収体（第１の衝撃エネルギー吸収体）
１４  第２衝撃エネルギー吸収体（第２の衝撃エネルギー吸収体）
１５  金属バルク体
１６  金属筒状体
２１  衝撃エネルギー吸収体
２２  中空金属集合体
２３  金属筒状体
【図１】
0005765612.tif 000002
【図２】
0005765612.tif 000003
【図３】
0005765612.tif 000004
【図４】
0005765612.tif 000005